(57)【要約】【課題】１つのメガネケース内に２つのメガネを収容することができる、比較的軽量で小型のメガネケースを提供する。【解決手段】このメガネケース１０は、メガネを収納する収容部１４を有するケース本体１２と、ケース本体１２に設けられた収容部１４の開口部１６を被蓋する蓋体１８とを備え、ケース本体１２の収容部１４に区画壁体２２が設けられ、区画壁体２２は、収容部１４の底体２４側の一端から開口部１６側の他端にわたって傾斜して収容部１４を区画し、区画壁体２２によって区画されてなる収容部１４ａ，１４ｂは、それぞれ、区画壁体２２の一端に続いて底体２４が形成され、底体２４より開口部１６に向かうに従って広がり、底体２４の区画壁体２２に連設された端部とは反対側の端部に、両収容部１４ａ，１４ｂの開口部１６ａ，１６ｂを被蓋する蓋体１８ａ，１８ｂがそれぞれ設けられている。【選択図】　　　図１
2004129818.tif 000002
【特許請求の範囲】
【請求項１】
メガネを収納する収容部を有するケース本体と、
ケース本体に設けられた収容部の開口部を被蓋する蓋体とを備え、
前記ケース本体の収容部に区画壁体が設けられ、前記区画壁体は、前記収容部の底体側の一端から開口部側の他端にわたって傾斜して収容部を区画し、
前記区画壁体によって区画されてなる収容部は、それぞれ、前記区画壁体の一端に続いて底体が形成され、底体より開口部に向かうに従って広がり、
前記底体の前記区画壁体に連設された前記端部とは反対側の端部に、両収容部の開口部を被蓋する蓋体がそれぞれ設けられた、メガネケース。
【請求項２】
前記ケース本体は、その両端に側壁体が設けられ、両側壁体間に収容部が形成され、
両側壁体の間に跨って区画壁体が架設された、請求項１に記載のメガネケース。
【請求項３】
前記収容部は、区画壁体の側壁体と直交する端縁に続いて底体が形成され、該底体の側壁体と直交する端縁に続いて立ち上がり体が形成され、
該立ち上がり体の上端の側壁体と直交する端縁より蓋体が連設された、請求項１または請求項２に記載のメガネケース。
【請求項４】
前記区画壁体で区画されてなる両収容部は、ほぼ同一形状に形成された、請求項１ないし請求項３のいずれかに記載のメガネケース。
【請求項５】
前記ケース本体を形成する側壁体は、
略直線状で互いに対向する上端縁と下端縁とを有し、
前記上端縁の一端および前記上端縁の一端とは反対側の下端縁における一端より、各収容部の立ち上がり体に対応する立ち上がり縁が形成され、
且つ上端縁と下端縁における前記立ち上がり体が形成された一端とは反対側の他端に傾斜縁が形成された、請求項１ないし請求項４のいずれかに記載のメガネケース。
【請求項６】
前記収容部の底体および立ち上がり体は、板状体が、その両端縁において、前記側壁体の上端縁および下端縁並びに立ち上がり体に連設されてなる、請求項１ないし請求項５のいずれかに記載のメガネケース。
【請求項７】
前記蓋体は、板状体が、前記収容部の底体側端部に連設されてなる、請求項１ないし請求項６のいずれかに記載のメガネケース。
【請求項８】
前記収容部の底体を形成する板状体と蓋体を形成する板状体とは一体に成形された、請求項１ないし請求項７のいずれかに記載のメガネケース。
【請求項９】
前記収容部の底体および立ち上がり体は、板状体の両端縁において側壁体の上端縁および下端縁並びに立ち上がり縁に連設され、且つ、蓋体は、板状体が収容部の立ち上がり体の側壁体と直交する端縁に連設され、前記収容部の底体および立ち上がり体を形成する板状体と前記蓋体を形成する板状体とが一体に成形された、請求項１ないし請求項８のいずれかに記載のメガネケース。
【請求項１０】
第１の収容部と第２の収容部とを区画する区画壁体は、第２の収容部の第２の底体の内側端縁近傍から第１の収容部の第１の底体の内側端縁近傍に亘って形成された、請求項１ないし請求項９のいずれかに記載のメガネケース。
【請求項１１】
側壁体の上端縁の一部およびそれに続く立ち上がり縁は、第２の収容部の第２の底体と連設され、且つ、側壁体の上端縁の一部およびそれに続く傾斜縁は、第１の収容部の第１の開口部と連設されるとともに、側壁体の下端縁の一部およびそれに続く立ち上がり縁は、第１の収容部の第１の底体と連設され、且つ、側壁体の下端縁の一部およびそれに続く傾斜縁は、第２の収容部の第２の開口部と連設された、請求項１ないし請求項１０のいずれかに記載のメガネケース。
【請求項１２】
第１の収容部の第１の底体および第１の立ち上がり体は、板状体の両端縁において側壁体の下端縁の一部並びに該下端縁に続く立ち上がり縁に連設され、且つ、第１の蓋体は、板状体が第１の収容部の第１の立ち上がり体の側壁体と直交する端縁に連設され、前記第１の収容部の第１の底体および第１の立ち上がり体を形成する板状体と前記第１の蓋体を形成する板状体とが一体に成形されるとともに、第２の収容部の第２の底体および第２の立ち上がり体は、板状体の両端縁において側壁体の上端縁の一部並びに該上端縁に続く立ち上がり縁に連設され、且つ、第２の蓋体は、板状体が第２の収容部の第２の立ち上がり体の側壁体と直交する端縁に連設され、前記第２の収容部の第２の底体および第２の立ち上がり体を形成する板状体と第２の蓋体を形成する板状体とが一体に成形された、請求項１ないし請求項１１のいずれかに記載のメガネケース。
【発明の詳細な説明】
【０００１】
【発明の属する技術分野】
この発明は、メガネケースに関し、特に、１つのメガネケースに複数のメガネを収納することができるメガネケースに関する。
【０００２】
【従来の技術】
従来のメガネケースは、一般的に、１つのメガネケース本体の収容部内に、１つのメガネを収容するように構成されている。また、実用新案登録第３０４０６５７号に開示されたメガネケースのように、メガネを２個入れるメガネケースがある。
【０００３】
【発明が解決しようとする課題】
現在メガネをかけている人の中には、比較的近いものを見る場合と、比較的遠いものを見る場合とにおいて、異なるレンズ度数のメガネをかける必要性に迫られ、２つ以上のメガネを所持することが多く、また、ファッション性から、異なったメガネフレームのメガネを所持することも多い。
しかしながら、２つ以上のメガネを所持するために、それぞれのメガネに対応したメガネケースに収容して持ち歩く場合、比較的携帯性に富んだ鞄やハンドバッグに入れて携帯するとき、かさばるために、その中に入れて携帯するには不便である。
また、実用新案登録第３０４０６５７号のメガネケースは、従来からある一般的なメガネケースを２個重ねたような構造ゆえに、嵩張って携帯には不備である。
【０００４】
それゆえに、この発明の主たる目的は、１つのメガネケース内に２つのメガネを収容することができる、比較的軽量で小型のメガネケースを提供することである。
【０００５】
【課題を解決するための手段】
この発明の請求項１に記載のメガネケースは、メガネを収納する収容部を有するケース本体と、ケース本体に設けられた収容部の開口部を被蓋する蓋体とを備え、ケース本体の収容部に区画壁体が設けられ、区画壁体は、収容部の底体側の一端から開口部側の他端にわたって傾斜して収容部を区画し、区画壁体によって区画されてなる収容部は、それぞれ、区画壁体の一端に続いて底体が形成され、底体より開口部に向かうに従って広がり、底体の区画壁体に連設された端部とは反対側の端部に、両収容部の開口部を被蓋する蓋体がそれぞれ設けられた、メガネケースである。
この発明の請求項２に記載のメガネケースは、ケース本体は、その両端に側壁体が設けられ、両側壁体間に収容部が形成され、両側壁体の間に跨って区画壁体が架設された、請求項１に記載のメガネケースである。
この発明の請求項３に記載のメガネケースは、収容部は、区画壁体の側壁体と直交する端縁に続いて底体が形成され、該底体の側壁体と直交する端縁に続いて立ち上がり体が形成され、該立ち上がり体の上端の側壁体と直交する端縁より蓋体が連設された、請求項１または請求項２に記載のメガネケースである。
この発明の請求項４に記載のメガネケースは、区画壁体で区画されてなる両収容部は、ほぼ同一形状に形成された、請求項１ないし請求項３のいずれかに記載のメガネケースである。
この発明の請求項５に記載のメガネケースは、ケース本体を形成する側壁体は、
略直線状で互いに対向する上端縁と下端縁とを有し、上端縁の一端および上端縁の一端とは反対側の下端縁における一端より、各収容部の立ち上がり体に対応する立ち上がり縁が形成され、且つ上端縁と下端縁における前記立ち上がり体が形成された一端とは反対側の他端に傾斜縁が形成された、請求項１ないし請求項４のいずれかに記載のメガネケースである。
この発明の請求項６に記載のメガネケースは、収容部の底体および立ち上がり体は、板状体が、その両端縁において、側壁体の上端縁および下端縁並びに立ち上がり体に連設されてなる、請求項１ないし請求項５のいずれかに記載のメガネケースである。
この発明の請求項７に記載のメガネケースは、蓋体は、板状体が、収容部の底体側端部に連設されてなる、請求項１ないし請求項６のいずれかに記載のメガネケースである。
この発明の請求項８に記載のメガネケースは、収容部の底体を形成する板状体と蓋体を形成する板状体とは一体に成形された、請求項１ないし請求項７のいずれかに記載のメガネケースである。
この発明の請求項９に記載のメガネケースは、収容部の底体および立ち上がり体は、板状体の両端縁において側壁体の上端縁および下端縁並びに立ち上がり縁に連設され、且つ、蓋体は、板状体が収容部の立ち上がり体の側壁体と直交する端縁に連設され、収容部の底体および立ち上がり体を形成する板状体と蓋体を形成する板状体とが一体に成形された、請求項１ないし請求項８のいずれかに記載のメガネケースである。
この発明の請求項１０に記載のメガネケースは、第１の収容部と第２の収容部とを区画する区画壁体は、第２の収容部の第２の底体の内側端縁近傍から第１の収容部の第１の底体の内側端縁近傍に亘って形成された、請求項１ないし請求項９のいずれかに記載のメガネケースである。
この発明の請求項１１に記載のメガネケースは、側壁体の上端縁の一部およびそれに続く立ち上がり縁は、第２の収容部の第２の底体と連設され、且つ、側壁体の上端縁の一部およびそれに続く傾斜縁は、第１の収容部の第１の開口部と連設されるとともに、側壁体の下端縁の一部およびそれに続く立ち上がり縁は、第１の収容部の第１の底体と連設され、且つ、側壁体の下端縁の一部およびそれに続く傾斜縁は、第２の収容部の第２の開口部と連設された、請求項１ないし請求項１０のいずれかに記載のメガネケースである。
この発明の請求項１２に記載のメガネケースは、第１の収容部の第１の底体および第１の立ち上がり体は、板状体の両端縁において側壁体の下端縁の一部並びに該下端縁に続く立ち上がり縁に連設され、且つ、第１の蓋体は、板状体が第１の収容部の第１の立ち上がり体の側壁体と直交する端縁に連設され、第１の収容部の第１の底体および第１の立ち上がり体を形成する板状体と第１の蓋体を形成する板状体とが一体に成形されるとともに、第２の収容部の第２の底体および第２の立ち上がり体は、板状体の両端縁において側壁体の上端縁の一部並びに該上端縁に続く立ち上がり縁に連設され、且つ、第２の蓋体は、板状体が第２の収容部の第２の立ち上がり体の側壁体と直交する端縁に連設され、第２の収容部の第２の底体および第２の立ち上がり体を形成する板状体と第２の蓋体を形成する板状体とが一体に成形された、請求項１ないし請求項１１のいずれかに記載のメガネケースである。
【０００６】
【発明の効果】
この発明によれば、ケース本体の中央部に区画壁体が設けられ、前記区画壁体は、その一端から他端にわたって傾斜して収容部を区画し、区画壁体によって形成された収容部に底体が形成され、各底体の区画壁体と連設された端部とは反対側の端部に各収容部の開口部を被蓋する蓋体がそれぞれ設けられているので、１つのケース内に２つのメガネを収容することができ、しかも、ケース本体の収容部内で２つのメガネが携帯中にぶつかったりすることによって破損したり、からまったりすることがない。
【０００７】
この発明の上述の目的、その他の目的、特徴および利点は、図面を参照して行う以下の発明の実施の形態の詳細な説明から一層明らかとなろう。
【０００８】
【発明の実施の形態】
図１は、この発明の一実施の形態であるメガネケースの斜視図解図であり、図２は、この発明の一実施の形態であるメガネケースの側面図解図であり、図３は、この発明の一実施の形態であるメガネケースの平面図解図であり、図４は、図３Ａ−Ａ断面図であり、図５は、蓋を開いた状態の平面図解図であり、図６は、利用方法を示す図解図である。
このメガネケース１０は、メガネを収容する収容部を有するケース本体１２と、該ケース本体１２に設けられた収容部１４の開口部１６を被蓋する蓋体１８とを備える。
【０００９】
ケース本体１２は、その両端に略六角形の板状体からなる側壁体２０が設けられ、側壁体２０を構成する第１の側壁体２０ａおよび第２の側壁体２０ｂの間にメガネの収容部１４が形成されている。
【００１０】
ケース本体１２の収容部１４は、第１の側壁体２０ａおよび第２の側壁体２０ｂ間に跨って区画壁体２２が設けられて、収容部１４を第１の収容部１４ａと第２の収容部１４ｂとに分割している。前記区画壁体２２は、その一端から他端にわたって傾斜して収容部１４を区画している。
第１の収容部１４ａと第２の収容部１４ｂとを区画する区画壁体２２は、第２の収容部１４ｂの第２の底体２４ｂの内側端縁近傍から第１の収容部１４ａの第１の底体２４ａの内側端縁近傍に亘って形成されている。
【００１１】
区画壁体２２によって区画されてなる第１の収容部１４ａと第２の収容部１４ｂとは、いずれも区画壁体２２に続いて平面状の底体２４が形成され、その底体２４の上にメガネを置くことができるように形成されている。
【００１２】
第１の収容部１４ａの底体を構成する第１の底体２４ａと、第２の収容部１４ｂの底体を構成する第２の底体２４ｂとは、区画壁体２２が連設された端部とは反対側の端部側に、収容部１４すなわち第１の収容部１４ａおよび第２の収容部１４ｂの開口部１６を被蓋する蓋体１８が設けられている。
すなわち、第１の収容部１４ａの第１の開口部１６ａには、第１の蓋体１８ａが設けられ、且つ、第２の収容部１４ｂの第２の開口部１６ｂには、第２の蓋体１８ｂが設けられている。
【００１３】
各収容部１４は、区画壁体２２の側壁体２０と直交する端縁に続いて底体２４が形成され、該底体２４の側壁体２０と直交する端縁に続いて立ち上がり体２６が形成され、該立ち上がり体２６の上端（側壁体２０と直交する端縁）より、前記蓋体１８が連設されている。
すなわち、第１の収容部１４ａの第１の立ち上がり体２６ａが、第１の底体２４ａに続いて形成され、第２の収容部１４ｂの第２の立ち上がり体２６ｂが、第２の底体２４ｂに続いて形成されている。そして、該第１の立ち上がり体２６ａおよび第２の立ち上がり体２６ｂは、それぞれ第１の底体２４ａおよび第２の底体２４ｂの一端より立ち上がるとともに、それぞれの上端より第１の蓋体１８ａおよび第２の蓋体１８ｂが延長して設けられている。
【００１４】
ケース本体１２を形成する側壁体２０を構成する第１の側壁体２０ａおよび第２の側壁体２０ｂは、略同一形状で、略直線状で互いに対向する上端縁２０１と下端縁２０３とを有し、前記上端縁２０１の一端と、前記上端縁２０１の一端とは反対側の下端縁２０３における一端より各収容部１４の立ち上がり体２６、すなわち、第１の収容部１４ａの第１の立ち上がり体２６ａおよび第２の収容部１４ｂの第２の立ち上がり体２６ｂに対応する立ち上がり縁２０５が形成されている。
また、上端縁２０１と下端縁２０３における前記立ち上がり縁２０５が形成された一端とは反対側の他端に傾斜縁２０７が形成されている。
【００１５】
収容部１４の底体２４および立ち上がり体２６を構成する板状体を側壁体２０に連設してなり、収容部１４の底体２４および立上り体２６が形成されている。すなわち、第１の収容部１４ａの第１の底体２４ａおよび第２の立ち上がり体２６ａと第２の収容部１４ｂの第２の底体２４ｂおよび第２の立ち上がり体２６ｂを構成する板状体が、その両端縁において第１の側壁体２０ａおよび第２の側壁体２０ｂの上端縁２０１および下端縁２０３ならびに立ち上がり縁２０５に連設されてなる。
側壁体２０の上端縁２０１の一部およびそれに続く立ち上がり縁２０５は、第２の収容部１４ｂの第２の底体２４ｂと連設され、且つ、側壁体２０の上端縁２０１の一部およびそれに続く傾斜縁２０７は、第１の収容部１４ａの開口部１６と連設されるとともに、側壁体の下端縁２０３の一部およびそれに続く立ち上がり縁２０５は、第１の収容部１４ａの第１の底体２４ａと連設され、且つ、側壁体２０の下端縁２０３の一部およびそれに続く傾斜縁２０７は、第２の収容部１４ｂの第２の開口部１６ｂと連設されている。
【００１６】
蓋体１８は、板状体が、収容部１４の底体２４側端縁に連設されて、開口部１６を被蓋するように形成されてなる。
すなわち、収容部１４の立ち上がり体２６の端縁に、蓋体１８を構成する板状体の一端縁が開閉自在に連設されている。
この実施の形態においては、収容部１４の底体２４および立ち上がり体２６を形成する板状体と蓋体１８を形成する板状体とが、連続した板状体で一体に成型され、板状体の両端縁の一部が収容部１４の底体２４および立ち上がり体２６を構成するように側壁体２０の立ち上がり縁２０５および立ち上がり縁２０５に続く上端縁２０１および下端縁２０３の一部に固定され、収容部１４の底体２４および立ち上がり体２６を構成するように形成されている。
第１の収容部１４ａの第１の底体２４ａおよび第１の立ち上がり体２６ａは、それを構成する板状体の両端縁において側壁体２０の下端縁２０３の一部並びに該下端縁２０３に続く立ち上がり縁２０５に連設され、且つ、第１の蓋体１８ａは、それを構成する板状体が第１の収容部１４ａの第１の立ち上がり体２６ａの端縁（側壁体２０と直交する端縁）に連設され、前記第１の収容部１４ａの第１の底体２４ａおよび第１の立ち上がり体２６ａを形成する板状体と前記第１の蓋体１８ａを形成する板状体とが一体に成形されている。また、第２の収容部１４ｂの第２の底体２４ｂおよび第２の立ち上がり体２６ｂは、それを構成する板状体の両端縁において側壁体２０の上端縁２０１の一部並びに該上端縁２０１に続く立ち上がり縁２０５に連設され、且つ、第２の蓋体１８ｂは、それを構成する板状体が第２の収容部１４ｂの第２の立ち上がり体２６ｂの端縁（側壁体２０と直交する端縁）に連設され、前記第２の収容部１４ｂの第２の底体２４ｂおよび第２の立ち上がり体２６ｂを形成する板状体と第２の蓋体１８ｂを形成する板状体とが一体に成形さている。
【００１７】
蓋体１８と立ち上がり体２６との間には、たとえば、板バネが付着され、常時は、蓋体１８が開口部１６を被蓋する側に付勢されるように形成されている。
【００１８】
実際に使用するにあたっては、図６に示すように、収容部１４を構成する第１の収容部１４ａおよび第２の収容部１４ｂのそれぞれにメガネを収容するときは、底体２４にメガネを載置するとともに、区画壁体２２の表面にもたせかけ、蓋体１８をもって開口部１６を覆うようにすればよい。
【図面の簡単な説明】
【図１】この発明の一実施の形態であるメガネケースの斜視図解図である。
【図２】この発明の一実施の形態であるメガネケースの側面図解図である。
【図３】この発明の一実施の形態であるメガネケースの平面図解図である。
【図４】図３Ａ−Ａ断面図である。
【図５】蓋を開いた状態の平面図解図である。
【図６】利用方法を示す図解図である。
【符号の説明】
１０　メガネケース
１２　ケース本体
１４　収容部
１４ａ　第１の収容部
１４ｂ　第２の収容部
１６　開口部
１６ａ　第１の開口部
１６ｂ　第２の開口部
１８　蓋体
１８ａ　第１の蓋体
１８ｂ　第２の蓋体
２０　側壁体
２０ａ　第１の側壁体
２０ｂ　第２の側壁体
２２　区画壁体
２４　底体
２４ａ　第１の底体
２４ｂ　第２の底体
２６　立ち上がり体
２６ａ　第１の立ち上がり体
２６ｂ　第２の立ち上がり体
２０１　側壁体の上端縁
２０３　側壁体の下端縁
２０５　側壁体の立ち上がり縁
２０７　側壁体の傾斜縁
【図１】
2004129818.tif 000003
【図２】
2004129818.tif 000004
【図３】
2004129818.tif 000005
【図４】
2004129818.tif 000006
【図５】
2004129818.tif 000007
【図６】
2004129818.tif 000008